(57)【特許請求の範囲】
【請求項１】
雨水を流入させるために地中に埋設される地下構造物の上部に設けられ、外壁部と内壁部とを有する受枠と、前記内壁部に支持される蓋本体とからなる雨水流入用蓋であって、
前記内壁部よりも外周側に開口する流入口を設け、
前記受枠には、前記外壁部と前記内壁部との間に形成され、かつ前記流入口に連通する導水部と、前記導水部と前記地下構造物とを連通する排出口とを設けた
ことを特徴とする雨水流入用蓋。
【請求項２】
前記蓋本体の上部外周に周方向に沿って前記内壁部よりも外周側に張り出す張出部を設けた請求項１記載の雨水流入用蓋。
【請求項３】
前記外壁部と前記内壁部とは、底板部により連設され、前記底板部の上面は、前記排出口に向かって下り傾斜する傾斜面とされている請求項１または２記載の雨水流入用蓋。
【発明の詳細な説明】
【０００１】
【発明の属する技術分野】
本発明は、雨水流入用蓋に関する。
なお、本願明細書でいう「雨水流入用蓋」とは、雨水を流入させ排水させるために地中に埋設される雨水桝または雨水浸透桝用の蓋、道路の側部に設けられる側溝用の蓋等を総称し、「地下構造物」とは、雨水浸透桝等の雨水桝、側溝等を総称する。
【０００２】
【従来の技術】
工場、公共施設、公園、駐車場等の舗装された地面には、雨水を地中に浸透させる雨水浸透桝等の雨水桝が適宜箇所に設置されている。この雨水桝の上方には、雨水を流入させるための雨水桝蓋が設けられており、地面に降った雨は、雨水桝蓋から雨水桝に流入し、地下に浸透していく。また、道路の側部（路肩）には、道路用側溝が設けられており、その上部には、側溝蓋を設置し、道路上の雨水を流入させ排水することが従来から行われている。このような雨水桝蓋や側溝蓋においては、蓋本体または蓋と受枠との間に切欠等の水抜き部分を設けることにより雨水を流入させるようにしている。この例として例えば、特開平９−２９１５８５号公報に記載されたコンクリート静寂側溝が知られている。このコンクリート静寂側溝は、両側壁の内面が互いに内側下方に向かって傾斜を有する側溝と、この側溝の傾斜部に対応して形成された傾斜部を有する蓋とからなり、蓋の傾斜部に水抜切欠を設けた構成としたものである。これにより多量の排水が可能で、しかも、ガタ付きがなく、蓋のズレや跳ね上がりを防止できるようにしている。
【０００３】
【発明が解決しようとする課題】
しかしながら、上記公報に開示されているコンクリート静寂側溝では、側溝との嵌合面である蓋の傾斜部に水抜切欠を設けており、蓋の傾斜部と水抜切欠とが隣接しているために蓋の傾斜部と側溝の傾斜部との隙間に雨水や土砂等が流れ込むおそれがある。特に、土砂が蓋の傾斜部と側溝の傾斜部との隙間に流れ込んだ場合には、蓋のガタ付きやこれに伴う騒音の原因となったり、或いは、保守や点検の際に開蓋し難くなるという問題が生じる。
【０００４】
本発明は、上述の点に鑑みてなされたもので、蓋本体のガタ付きを確実に防止することのできる雨水流入用蓋を提供することを目的とする。
【０００５】
【課題を解決するための手段】
本発明の雨水流入用蓋は、雨水を流入させるために地中に埋設される地下構造物の上部に設けられ、外壁部と内壁部とを有する受枠と、前記内壁部に支持される蓋本体とからなる雨水流入用蓋であって、前記内壁部よりも外周側に開口する流入口を設け、前記受枠には、前記外壁部と前記内壁部との間に形成され、かつ前記流入口に連通する導水部と、前記導水部と前記地下構造物とを連通する排出口とを設けた構成としている。
【０００６】
以上の構成において、地面に降った雨水は、流入口から流入して受枠の導水部に導入され、さらに、排出口から地下構造物へと排出される。流入口は、受枠の内壁部よりも外周側に開口し、かつ流入した雨水は、内壁部と外壁部との間に形成されている導水部に導入されることで、受枠の内壁部と蓋本体との嵌合面に流入することが防止される。これにより、嵌合面に土砂等が付着することが防止され、蓋本体のガタ付きや、ガタ付きに伴う騒音が防止されるとともに、保守や点検の際に開蓋し易くなる。
【０００７】
【発明の実施の形態】
本発明において、前記蓋本体の上部外周に周方向に沿って前記内壁部よりも外周側に張り出す張出部を設けた構成とすることができる。
このような構成とすることで、蓋本体と受枠の内壁部との嵌合面の間に雨水や土砂等が流れ込むことをより一層防止することができる。
【０００８】
また、本発明において、前記外壁部と前記内壁部とは、底板部により連設され、前記底板部の上面は、前記排出口に向かって下り傾斜する傾斜面をなすように構成することができる。
このような構成とすることで、導水部に導入された雨水や土砂等を円滑に地下構造物に導くことができる。
【０００９】
【実施例】
（実施例１）
図１は、本発明に係る雨水流入用蓋の分解斜視図、図２は、図１において受枠に蓋本体を嵌合した状態における一部断面図である。
図１に示すように雨水流入用蓋１は、平面視円形状をなす受枠２と、この受枠２の開口部４を開閉可能に閉塞する蓋本体３とからなり、受枠２は、図示しない地下構造物としての例えば、雨水桝の上部に設置され、この受枠２に蓋本体３が地表面と面一をなすように嵌合される。
【００１０】
受枠２は、外壁部２ａと内壁部２ｂとが同心的に形成されて二重側壁構造とされ、これら外壁部２ａの下端と内壁部２ｂの下端とが底板部２ｃにより連設されており、内壁部２ｂの内側は、開口部４とされている。この開口部４は、前記雨水桝に連通される。内壁部２ｂは、周方向に沿って所定の長さを有し、かつ所定の間隔を存して多数設けられている。内壁部２ｂは、外壁部２ａよりも低く形成されており、その内周面は、図２に示すように上端から下端に向かってテーパ状に縮径する嵌合面２ｄとされている。
【００１１】
外壁部２ａと内壁部２ｂと底板部２ｃとにより画成される環状の空間部は、雨水を導入するための導水部５とされ、隣り合う内壁部２ｂ間の各隙間が導水部５内の雨水を排出するための排出口６とされている。すなわち、導水部５は、排出口６により開口部４に連通される。そして、底板部２ｃの上面は、外壁部２ａ側から排出口６に向かって下り傾斜する傾斜面とされている（図２）。この受枠２は、鋳鉄部材により一体に形成されている。
【００１２】
図１および図２に示すように蓋本体３には、その外周側下部に縁巻３ａが全周に亘り形成されている。この縁巻３ａは、外周面が略中央において段差をなして形成され、縁巻上部３ｂの外径が受枠２の内壁部２ｂの外径と略同径とされ、縁巻下部３ｃの外周面が内壁部２ｂの嵌合面２ｄと対応してテーパ状に縮径されて嵌合面３ｄとされている。また、縁巻上部３ｂと縁巻下部３ｃとの間の段差面３ｅと内壁部２ｂの上面とは、ごく僅かな隙間ｔを存して離隔している。そして、縁巻下部３ｃの段差面３ｅからの高さは、内壁部２ｂの高さよりも低く設定されており、蓋本体３が内壁部２ｂに嵌合された状態において、その下端が排出口６の下端よりも上方に位置しているため排出口６の下部が開口されて開口部４と連通される。
【００１３】
蓋本体３の上部外周は、縁巻３ａから外周側に全周に亘りフランジ状に張り出して張出部３ｆとされており、その外径は、外壁部２ａの外径と略同径とされて導水部５を覆蓋している。この張出部３ｆの下面は、外壁部２ａの上面と僅かな隙間Ｔを存して離隔している。これは、蓋本体３と受枠２とに製造誤差を生じたとしても、蓋本体３を受枠２に嵌合した際に張出部３ｆの下面が外壁部２ａの上面に当接しないようにして縁巻下部３ｃの嵌合面３ｄが内壁部２ｂの嵌合面２ｄに確実に面合されるようにするためである。なお、張出部３ｆの下面と外壁部２ａの上面との隙間Ｔは、段差面３ｅと内壁部２ｂの上面との隙間ｔよりも僅かに大きい隙間とされる。
【００１４】
蓋本体３の張出部３ｆには流入口７が、周方向に沿って適宜の間隔で多数形成されている。この流入口７は、周方向に沿って細長く、半径方向の幅が外壁部２ａの上面の幅よりも僅かに広く（数ミリ程度）切り欠かれて形成され、かつ内周面の下部が面取りされて半径方向内方に曲面をなして縮径されている。これにより、流入口７の内周面の下部と外壁部２ａの内周側上端縁との間に開口面積の大きな隙間８が形成されて、雨水が流入口７から受枠２の導水部５に良好に流入可能となる。この蓋本体３も受枠２と同様に鋳鉄部材により一体に形成されている。
【００１５】
以上の構成において、地面に降った雨水は、雨水流入用蓋１に向かって流れ、蓋本体３の各流入口７から流入し、隙間８を通して受枠２の導水部５に流入する。そして、底板部２ｃの上面が排水口６に向かって下り傾斜する傾斜面とされていることで、流入した雨水や土砂が排出口６から開口部４に良好に排出されて雨水桝等の地下構造物に円滑に導かれる。
【００１６】
これにより、内壁部２ｂの嵌合面２ｄと縁巻３ａの下部３ｃの嵌合面３ｄとの間に雨水や土砂が流入することが良好に防止される。さらに、張出部３ｆが縁巻３ａよりも外周側にフランジ状に張り出していることで、嵌合面２ｄ、３ｄに雨水や土砂が流入することがより一層防止される。これにより、受枠２と蓋本体３の嵌合面２ｄ、３ｄに土砂等が付着することが防止され、蓋本体３のガタ付きや、これに伴う騒音が防止される。また、蓋本体３の開蓋、閉蓋も容易となる。
【００１７】
さらに、蓋本体３は、張出部３ｆが受枠２の外壁部２ａの上面を覆い、流入口７が周方向に沿って細長く、かつ半径方向の幅が外壁部２ａの上面の幅よりも僅かに広く（数ミリ程度）設定されていることで、２点鎖線で示すように例えば、歩行者のハイヒール３０の踵３１が流入口７に落ちた場合でも、外壁部２ａの上面により支持され、ハイヒール３０の破損や、怪我等を防止することができる。
【００１８】
また、蓋本体３の張出部３ｆが外壁部２ａの外径と略同径とされて導水部５を覆蓋していることで、雨水以外に不要に土砂や小石等が導水部５に落ち込むことが防止され、導水部５や排出口６の詰まりが防止されて良好な排水が確保される。
さらに、蓋本体３は、縁巻３ａの段差面３ｅと受枠２の内壁部２ｂの上面との間にごく僅かな隙間ｔを存しているため、内壁部２ｂの嵌合面２ｄと縁巻下部３ｃの嵌合面３ｄとを確実に嵌合させると同時に、蓋本体３の外周縁部近傍上面に局部的に荷重が加わった場合でも縁巻３ａの段差面３ｅが受枠２の内壁部２ｂの上面を覆っているため垂直面内における回転すなわち、ローリングが確実に防止される。
【００１９】
（実施例２）
図３は、本発明の雨水流入用蓋の第２実施例を示す。なお、実施例１と同一部材には同一の符号を付し、相当する部材には、相当する符号を付してある。図３に示すように受枠２は、実施例１と同様の構造とされている。蓋本体１１は、縁巻１１ａの外周側に全周に亘りフランジ状に張り出して張出部１１ｆが形成され、その外径が受枠２の外壁部２ａの内径よりも僅かに小径（数ミリ程度）とされ、かつ上面が外壁部２ａの上面と同一面をなしている。そして、受枠２に蓋本体１１が嵌合された図示の状態において蓋本体１１の張出部１１ｆの外周面１１ｇと受枠２の外壁部２ａの上端部内周面との間に環状の隙間が形成され、この環状の隙間が雨水の流入口１２とされている。
【００２０】
地面に降った雨水は、流入口１２から受枠２の導水部５に流入し、排出口６から排出されて雨水桝等の地下構造物に円滑に導かれる。また、環状の流入口１２は、数ミリ程度の幅とされていることで、雨水以外に不要に土砂や小石等が導水部５に落ち込み難くなり、導水部５や排出口６の詰まりが防止されて良好な排水が確保される。また、ハイヒールの踵等が導水部５に落ち込むことも防止される。
【００２１】
（実施例３）
図４は、本発明の雨水流入用蓋の第３実施例を示す。実施例３は、受枠の別の実施例を示し、実施例１の受枠２と対応する部位には対応する符号を付して詳細な説明を省略する。また、蓋本体は、省略してあり、実施例１または実施例２の何れを適用するようにしてもよい。
【００２２】
図４に示すように受枠１５は、実施例１の受枠２と同様に内壁部１５ｂが周方向に沿って所定の長さを有し、かつ所定の間隔を存して多数設けられており、外壁部１５ａよりも低く形成され、その内周面は、上端から下端に向かってテーパ状に縮径する嵌合面１５ｄとされている。
内壁部１５ｂは、外周面の略中央部がリブ１６により外壁部１５ａの内周面に連設されている。このリブ１６は、内壁部１５ｂの上面よりも僅かに低く形成されており、図１に示す蓋本体３を嵌合した際に縁巻３ａの外周側に張り出した張出部３ｆの下面に干渉することが防止され、蓋本体３を確実に嵌合させることができる。
【００２３】
外壁部１５ａと内壁部１５ｂと底板部１５ｃと各リブ１６とにより画成される空間部は、雨水を導入するための導水部１７とされ、隣り合う内壁部１５ｂ間の各隙間が導水部１７内の雨水を排出するための排出口１８とされる。そして、底板部１５ｃの上面は、リブ１６の付け根部および外壁部１５ａ側から排出口１８に向かって下り傾斜する傾斜面とされている。また、蓋本体３は、受枠１５に嵌合された状態において、縁巻３ａの下端が２点鎖線で示すように排出口１８の下端よりも上方に位置して排出口１８の下部が開口されて開口部１９への雨水の排出が可能とされている。
【００２４】
（実施例４）
図５は、本発明の雨水流入用蓋の第４実施例を示す。実施例４は、受枠のさらに別の実施例を示し、実施例１の受枠２に対応する部位には対応する符号を付して詳細な説明を省略する。また、蓋本体は、省略してあり、実施例１または実施例２の何れを適用するようにしてもよい。
【００２５】
図５に示すように受枠２０は、外壁部２０ａと内壁部２０ｂとが同心的に形成されて完全な二重側壁構造とされ、これら外壁部２０ａの下端と内壁部２０ｂの下端とが底板部２０ｃにより連設されている。内壁部２０ｂは、外壁部２０ａよりも低く形成されており、その内周面は、上端から下端に向かってテーパ状に縮径する嵌合面２０ｄとされている。
【００２６】
外壁部２０ａと内壁部２０ｂと底板部２０ｃとにより画成される空間部は、雨水を導入するための導水部２１とされ、内壁部２０ｂに導水部２１と開口部２３とを連通する排出口２２が周方向に沿って適宜の間隔で複数設けられている。排出口２２の下端は、底板部２０ｃの上面と同一面とされている。そして、底板部２０ｃの上面は、外壁部２０ａ側から排出口２２に向かって下り傾斜する傾斜面とされている。また、蓋本体は、受枠２０に嵌合された状態において、縁巻の下端が２点鎖線で示すように排出口２２の下端よりも僅かに上方に位置し、排出口２２から開口部２３への雨水の排出が可能とされている。
【００２７】
【発明の効果】
本発明の雨水流入用蓋によれば、内壁部よりも外周側に開口する流入口から流入した雨水や土砂は、受枠の外壁部と内壁部との間に形成した導水部を通して排出口から地下構造物内へ流れ込むので、蓋本体と受枠との嵌合面には雨水や土砂が入り込み難くなる。したがって、蓋本体のガタ付きやガタ付きに伴う騒音を確実に防止することができる。
【００２８】
また、蓋本体の上部外周に周方向に沿って張出部を設けたことにより、蓋本体と受枠との嵌合面に雨水や土砂が流入することをより一層防止することができる。
また、受枠の底板部の上面を排出口に向かって下り傾斜する傾斜面とすることにより、流入しした雨水や土砂を円滑に地下構造物に導くことができる。
【図面の簡単な説明】
【図１】本発明に係る雨水流入用蓋の分解斜視図である。
【図２】図１の雨水流入用蓋の受枠に蓋本体を嵌合した状態の一部断面図である。
【図３】本発明に係る雨水流入用蓋の第２実施例を示す一部断面図である。
【図４】本発明に係る雨水流入用蓋の第３実施例を示し、受枠の一部斜視図である。
【図５】本発明に係る雨水流入用蓋の第４実施例を示し、受枠の一部斜視図である。
【符号の説明】
１  雨水流入用蓋
２、１５、２０  受枠
３、１１  蓋本体
２ａ、１５ａ、２０ａ  外壁部
２ｂ、１５ｂ、２０ｂ  内壁部
５、１７、２１  導水部
６、１８、２２  排出口
７、１２  流入口
１６  リブ
３０  ハイヒール
３１  踵
【図１】
0004078746.tif 000002
【図２】
0004078746.tif 000003
【図３】
0004078746.tif 000004
【図４】
0004078746.tif 000005
【図５】
0004078746.tif 000006